(57)【要約】【課題】移動平均温度を基に冷暖房の切替えを自動的に行う。【解決手段】熱源機器８を制御する熱源制御装置７と、空調機器１０を制御する空調制御装置９と、機器１２を制御するスケジュール制御装置１１とを備え、熱源制御装置７、空調制御装置９、スケジュール制御装置１１は、外気温度センサ１３により検出した外気温度信号Ｔを基に２０日移動平均温度Ｔｏを求める２０日移動平均温度演算装置７ａ，９ａ，１１ａと、２０日移動平均温度演算装置７ａ，９ａ，１１ａからの２０日移動平均温度Ｔｏを基に季節を判断する季節判断装置７ｂ，９ｂ，１１ｂと、季節判断装置７ｂ，９ｂ，１１ｂからの季節指令Ｔｓを基に所定の指令信号Ｖｈ，Ｖｔ，Ｖｍを求めて熱源機器８、空調機器１０、機器１２に与える熱源機器制御装置７ｃ、空調機器制御装置９ｃ、スケジュール制御装置１１ｃを備える。【選択図】　　　　図２
2004028440.tif 000002
【特許請求の範囲】
【請求項１】
熱源機器及び空調機器並びにこれらに関連する機器のうち少なくとも何れかを制御する制御装置を備え、該制御装置は、外気温度センサにより検出した外気温度を基に所定期間の移動平均温度を求める移動平均温度演算装置と、該移動平均温度演算装置からの移動平均温度と基準となる外気温度の差から季節を判断して季節指令を求める季節判断装置と、該季節判断装置からの季節指令を基に所定の指令信号を求めて所定の機器に与える指令制御装置を備えたことを特徴とする空調設備。
【請求項２】
移動平均温度を求める移動平均温度演算装置は２０日移動平均温度を求める２０日移動平均温度演算装置である請求項１に記載の空調設備。
【請求項３】
熱源機器を制御する熱源制御装置と、空調機器を制御する空調制御装置と、空調と関連する機器を制御するスケジュール制御装置とを備え、前記熱源制御装置、空調制御装置、スケジュール制御装置は、夫々、外気温度センサにより検出した外気温度を基に２０日移動平均温度を求める２０日移動平均温度演算装置と、該２０日移動平均温度演算装置からの２０日移動平均温度と基準となる外気温度の差から季節を判断して季節指令を求める季節判断装置と、該季節判断装置からの季節指令を基に所定の指令信号を求めて熱源機器、空調機器、他の機器に与える熱源機器制御装置、空調機器制御装置、スケジュール制御装置を備えたことを特徴とする空調設備。
【発明の詳細な説明】
【０００１】
【発明の属する技術分野】
本発明は空調設備に関するものである。
【０００２】
【従来の技術】
ビル、工場等の建築施設においては、熱源機器、空調機器、その他の関連機器を有する空調設備を備えており、空調設備は季節に対応して適切に冷房、暖房、停止に切替え運転する必要がある。而して、斯かる切替え運転を行うための従来の空調設備の一例としては例えば図４に示すものがある。
【０００３】
図４中、１は上位コントローラ２に接続された上位ネットワーク、３は上位ネットワーク１に接続された中位ネットワーク、４，５，６は中位ネットワーク３に並列接続された下位ネットワークである。
【０００４】
７は下位ネットワーク４に接続された熱源制御装置、８は下位ネットワーク４において熱源制御装置７の下流に接続された熱源機器、９は下位ネットワーク５に接続された空調制御装置、１０は下位ネットワーク５において空調制御装置９の下流に接続された空調機器、１１は下位ネットワーク６に接続されたスケジュール制御装置、１２は下位ネットワーク６においてスケジュール制御装置１１の下流に接続された空調と関連する機器である。
【０００５】
上記空調設備の熱源機器８、空調機器１０、機器１２を冷暖房時に切替える場合には、以下に述べるようにして切替えが行われる。すなわち、年間の季節の変わり目の月日に対応して予め上位コントローラ２に設定されている冷房／暖房切替え指令Ｖ１、或は切替え時に運転員が設定した冷房／暖房切替え指令Ｖ１は、上位コントローラ２から出力され、中位ネットワーク３及び下位ネットワーク４，５，６を経て熱源制御装置７，空調制御装置９，スケジュール制御装置１１に夫々与えられる。スケジュール制御装置１１は、例えば各室内に設けられたタイマ等の制御端末である。
【０００６】
熱源制御装置７では、冷房／暖房切替え指令Ｖ１に基いて、建物全体の熱源機器８である温水循環系統のバルブの開閉指令或は冷水循環系統のバルブの開閉指令が求められ、指令信号Ｖｈとして熱源機器８に与えられる。而して、熱源機器８では、例えば、冬季から春季に移行する場合のように、暖房から冷房・暖房停止に切替える場合には、冷水循環系統のバルブは閉止させたまま温水循環系統のバルブが閉止される。
【０００７】
春季から夏季に移行する場合のように、冷房・暖房停止から冷房に切替える場合には、温水循環系統のバルブは閉止させたまま冷水循環系統のバルブが開かれる。又、夏季から秋季に移行する場合のように、冷房から冷房・暖房停止に切替える場合には、温水循環系統のバルブは閉止させたまま冷水循環系のバルブが閉止される。更に、秋季から冬季に移行する場合のように、冷房・暖房停止から暖房に切替える場合には、冷水循環系統のバルブは閉止させたまま温水循環系統のバルブが開かれる。
【０００８】
空調制御装置９では冷房／暖房切替え指令Ｖ１に基いて、空調機器１０の室内設定温度指令が求められ、指令信号Ｖｔとして空調機器１０に与えられる。而して、空調機器１０では、例えばダクトや温風或は冷風の吹出し口に設けてあるダンパの開度が調整される。
【０００９】
スケジュール制御装置１１では、冷房／暖房切替え指令Ｖ１に基いて、各室内が所定の温度に保持されるためのヒータ、エアコン等の運転時間指令が求められ、指令信号Ｖｍとして機器１２に与えられ、季節に対応して室内が所定の温度に保持されるようヒータ、エアコン等の運転時間が調整される。
【００１０】
なお、季節の変わり目の月日とは、例えば、冬季から春季に移行したものとして暖房運転から冷房・暖房停止に切替えるのは４月１日、春季から夏季に移行したものとして冷房・暖房停止から冷房運転に切替えるのは６月１日、夏季から秋季に移行したものとして冷房運転から冷房・暖房停止に切替えるのは１０月１日、秋季から冬季に移行したものとして冷房・暖房停止から暖房運転に切替えるのは１２月１日である。
【００１１】
【発明が解決しようとする課題】
１日の平均の外気温度は、例えば図５の温度曲線イに示すように、同じ季節でも月日によってかなり大きく変動する。このため、冷房／暖房切替え指令Ｖ１によって冷暖房の切替えを行った場合、切替えた後に再び外気温度が低下したり、上昇したりして外気温度上、季節が前の季節に変動したようになることがある。すなわち、例えば４月１日を過ぎて暖房を停止しているにも拘らず、外気温度が暖房の必要な温度まで下降したり、１２月１日を過ぎて暖房を行っているにも拘らず、外気温度が暖房の不要な温度まで上昇したりすることがある。
【００１２】
しかしながら、上述のように冷房／暖房切替え指令Ｖ１により冷暖房の切替えを行う場合には、切替え後に自動的に冷暖房を外気温度の変動に対応させることは困難で、運転員が切替えの操作を再度行う必要がある。このため、短期間での外気温度の昇降が頻繁な場合には、切替え作業が煩雑であり、又、外気温度に対応する切替えを行わない場合には、建物の使用者に体調不良等の不快感を与えたりする虞がある。なお、図５の温度曲線イは一日の毎正時の外気温度を平均化して１年間プロットした温度曲線である。
【００１３】
【発明がなされるに至った経過】
発明者は、外気温度を移動平均温度として、５日移動平均温度、１０日移動平均温度、・・・２０日移動平均温度を取り、調べてみた。その結果、移動平均温度を求める間隔が長くなると温度曲線は徐々に凹凸が少なく滑らかに変化する曲線となり、２０日移動平均温度の場合は、図３の温度曲線ロに示すように凹凸のない滑らかな曲線となることが判明した。すなわち、外気の２０日移動平均温度により季節の変動周期を知ることができることが判明した。
【００１４】
従って、この２０日移動平均温度の温度曲線ロを基に、暖房から冷房・暖房停止に切替える際の外気温度をＴ１とし、冷房・暖房停止から冷房に切替える際の外気温度をＴ２とし、冷房から冷房・暖房停止に切替える際の外気温度をＴ３とし、冷房・暖房停止から暖房に切替える際の外気温度をＴ４とした場合、これらの外気温度Ｔ１，Ｔ２，Ｔ３，Ｔ４を基準として冷暖房の切替えを自動的に行うようにすれば、切替え後に再度冷暖房切替え前の季節の状態が生ずる頻度は極く少なく、例え、切替え後に季節が２０日移動平均温度上、切替え前の季節に戻った場合にも、自動的に切替え前の季節の状態に対応させて冷暖房の切替えを行うことが可能となる。
【００１５】
その結果、運転員が切替え操作を行わなくても自動的に基準の外気温度Ｔ１，Ｔ２，Ｔ３，Ｔ４に対応して冷暖房の切替えを行うことができ、建物の使用者に体調不良や不快な思いをさせることがない。なお、２０日移動平均温度は、２０日間に亘る毎正時の外気温度を加算して４８０（２４データ／日×２０日）で除し、平均化したものである。なお、外気温度は、Ｔ２＞Ｔ１、Ｔ３＞Ｔ４である。
【００１６】
本発明は、上述の実情に鑑み、２０日移動平均温度を基に、外気温度を基準として冷暖房の切替えを自動的に行い得るようにした空調設備を提供することを目的としてなしたものである。
【００１７】
【課題を解決するための手段】
請求項１の空調設備は、熱源機器及び空調機器並びにこれらに関連する機器のうち少なくとも何れかを制御する制御装置を備え、該制御装置は、外気温度センサにより検出した外気温度を基に所定期間の移動平均温度を求める移動平均温度演算装置と、該移動平均温度演算装置からの移動平均温度と基準となる外気温度の差から季節を判断して季節指令を求める季節判断装置と、該季節判断装置からの季節指令を基に所定の指令信号を求めて所定の機器に与える指令制御装置を備えたものである。
【００１８】
請求項２の空調設備においては、移動平均温度を求める移動平均温度演算装置は２０日移動平均温度を求める２０日移動平均温度演算装置である。
【００１９】
請求項３の空調設備は、熱源機器を制御する熱源制御装置と、空調機器を制御する空調制御装置と、空調と関連する機器を制御するスケジュール制御装置とを備え、前記熱源制御装置、空調制御装置、スケジュール制御装置は、夫々、外気温度センサにより検出した外気温度を基に２０日移動平均温度を求める２０日移動平均温度演算装置と、該２０日移動平均温度演算装置からの２０日移動平均温度と基準となる外気温度の差から季節を判断して季節指令を求める季節判断装置と、該季節判断装置からの季節指令を基に所定の指令信号を求めて熱源機器、空調機器、他の機器に与える熱源機器制御装置、空調機器制御装置、スケジュール制御装置を備えたものである。
【００２０】
本発明によれば、移動平均温度を基に、外気温度を基準として冷暖房の切替えを自動的に行うことができるため、切替え後に再度切替え前の季節の状態が生ずる頻度は極く少なく、例え、切替え後に季節が移動平均温度上、切替え前の季節に戻った場合にも、自動的に切替え前の季節の状態に対応させて冷暖房の切替えを行うことが可能となる。
【００２１】
その結果、運転員が切替え操作を行わなくても自動的に外気温度に対応して冷暖房の切替えを行うことができ、建物の使用者に体調不良や不快な思いをさせることがない。
【００２２】
【発明の実施の形態】
以下、本発明の実施の形態を図示例と共に説明する。
図１及び図２は本発明を実施する形態の一例であって、図中、図４と同一の符号を付した部分は同一のものを表わしており、基本的な構成は図４に示す従来のものと同様である。図中、１３は外気温度センサであり、外気温度センサ１３で検出した外気温度信号Ｔは、中位ネットワーク３から下位ネットワーク４，５，６を経て熱源制御装置７、空調制御装置９，スケジュール制御装置１１に与え得るようになっている。
【００２３】
熱源制御装置７、空調制御装置９、スケジュール制御装置１１の詳細は図２に示されている。すなわち、熱源制御装置７は、毎正時の外気温度信号Ｔを基に１時間前の２０日移動平均温度Ｔｏを修正して新たな２０日移動平均温度Ｔｏを求める２０日移動平均温度演算装置７ａ、２０日移動平均温度演算装置７ａからの２０日移動平均温度Ｔｏを基に季節を判断する季節判断装置７ｂ、季節判断装置７ｂからの季節指令Ｔｓを基に熱源機器８に付与する指令信号Ｖｈを求める熱源機器制御装置７ｃを備えている。
【００２４】
空調制御装置９は、毎正時の外気温度信号Ｔを基に１時間前の２０日移動平均温度Ｔｏを修正して新たな２０日移動平均温度Ｔｏを求める２０日移動平均温度演算装置９ａ、２０日移動平均温度演算装置９ａからの２０日移動平均温度Ｔｏを基に季節を判断する季節判断装置９ｂ、季節判断装置９ｂからの季節指令Ｔｓを基に空調機器１０に付与する指令信号Ｖｔを求める空調機器制御装置９ｃを備えている。
【００２５】
スケジュール制御装置１１は、毎正時の外気温度信号Ｔを基に１時間前の２０日移動平均温度Ｔｏを修正して新たな２０日移動平均温度Ｔｏを求める２０日移動平均温度演算装置１１ａ、２０日移動平均温度演算装置１１ａからの２０日移動平均温度Ｔｏを基に季節を判断する季節判断装置１１ｂ、季節判断装置１１ｂからの季節指令Ｔｓを基に機器１２に付与する指令信号Ｖｍを求めるスケジュール制御装置１１ｃを備えている。
【００２６】
次に、上記図示例の作動を説明する。
外気温度センサ１３により検出された外気温度信号Ｔは中位ネットワーク３から下位ネットワーク４，５，６を経て熱源制御装置７、空調制御装置９、スケジュール制御装置１１に付与される。
【００２７】
熱源制御装置７では、２０日移動平均温度演算装置７ａにおいて外気温度信号Ｔを基として２０日移動平均温度Ｔｏが求められる。すなわち、今回の２０日移動平均温度Ｔｏが求められる前に求められていた１時間前の２０日移動平均温度Ｔｏの４８０個（２４データ／日×２０日）の外気温度信号Ｔのうち、時間的に最先に検出されていた外気温度信号Ｔが除かれ、今回検出した外気温度信号Ｔが加算されて４８０で除され、今回の新たな正時の２０日移動平均温度Ｔｏが求められ、求められた２０日移動平均温度Ｔｏは季節判断装置７ｂに与えられる。
【００２８】
季節判断装置７ｂには、暖房から冷房・暖房停止へ切替える際の外気温度Ｔ１、冷房・暖房停止から冷房へ切替える際の外気温度Ｔ２、冷房から冷房・暖房停止へ切替える際の外気温度Ｔ３、冷房・暖房停止から暖房へ切替える際の外気温度Ｔ４が設定されている。而して、外気温度Ｔ１，Ｔ２，Ｔ３，Ｔ４は毎正時ごとに与えられる２０日移動平均温度Ｔｏと比較し得るようになっている。
【００２９】
すなわち、季節判断装置７ｂでは、毎正時ごとにＴｏ−Ｔ１、Ｔｏ−Ｔ２、Ｔｏ−Ｔ３、Ｔｏ−Ｔ４が演算され、例えば今まではＴｏ−Ｔ１＜０で冬季と判断されて暖房を行っていたのが、今回、Ｔｏ−Ｔ１＞０で且つＴｏ−Ｔ２＜０になった場合は、季節が冬から春へ移行したと判断されて季節判断装置７ｂからは季節指令Ｔｓが熱源機器制御装置７ｃに与えられる。而して、熱源機器制御装置７ｃからは、暖房から冷房・暖房停止に切替えるための指令信号Ｖｈが出力されて熱源機器８に与えられ、熱源機器８では、冷水循環系統のバルブは閉止されたまま温水循環系統のバルブが閉止される。
【００３０】
今まではＴｏ−Ｔ１＞０、且つＴｏ−Ｔ２＜０で春季と判断されて冷房・暖房停止であったのが、今回Ｔｏ−Ｔ２＞０となった場合は、季節が春から夏へ移行したと判断されて季節判断装置７ｂからは季節指令Ｔｓが熱源機器制御装置７ｃに与えられる。而して、熱源機器制御装置７ｃからは、冷房・暖房停止から冷房に切替えるための指令信号Ｖｈが出力されて熱源機器８に与えられ、熱源機器８では温水循環系統のバルブは閉止されたまま冷水循環系統のバルブが開かれる。
【００３１】
今まではＴｏ−Ｔ２＞０で夏季と判断されて冷房を行っていたのが、今回Ｔｏ−Ｔ３＜０で且つＴｏ−Ｔ４＞０となった場合は、季節が夏から秋に移行したと判断されて季節判断装置７ｂからは季節指令Ｔｓが熱源機器制御装置７ｃに与えられる。而して、熱源機器制御装置７ｃからは、冷房から冷房・暖房停止に切替えるための指令信号Ｖｈが出力されて熱源機器８に与えられ、熱源機器８では、温水循環系統のバルブは閉止されたまま冷水循環系統のバルブが閉止される。
【００３２】
今まではＴｏ−Ｔ３＜０、且つＴｏ−Ｔ４＞０で秋季と判断されて冷房・暖房停止であったのが、今回Ｔｏ−Ｔ４＜０となった場合は、季節が秋から冬に移行したと判断されて季節判断装置７ｂからは季節指令Ｔｓが熱源機器制御装置７ｃに与えられる。而して、熱源機器制御装置７ｃからは、冷房・暖房停止から暖房に切替えるための指令信号Ｖｈが出力されて熱源機器８に与えられ、熱源機器８では冷水循環系統のバルブは閉止されたまま温水循環系統のバルブが開かれる。
【００３３】
空調制御装置９では、２０日移動平均温度演算装置９ａにおいて外気温度信号Ｔを基として２０日移動平均温度Ｔｏが、２０日移動平均温度演算装置７ａにおいて求められたと同様にして求められ、求められた２０日移動平均温度Ｔｏは季節判断装置９ｂに与えられる。
【００３４】
季節判断装置９ｂには、暖房から冷房・暖房停止へ切替える際の外気温度Ｔ１、冷房・暖房停止から冷房へ切替える際の外気温度Ｔ２、冷房から冷房・暖房停止に切替える際の外気温度Ｔ３、冷房・暖房停止から暖房へ切替える際の外気温度Ｔ４が設定されている。而して、外気温度Ｔ１，Ｔ２，Ｔ３，Ｔ４は毎正時ごとに与えられる２０日移動平均温度Ｔｏと比較し得るようになっている。
【００３５】
而して、季節判断装置９ｂでは、毎正時の演算結果が今まではＴｏ−Ｔ１＜０であったのが、今回Ｔｏ−Ｔ１＞０で且つＴｏ−Ｔ２＜０となった場合は、季節が冬から春に移行したと判断され、今まではＴｏ−Ｔ１＞０、且つＴｏ−Ｔ２＜０であったのが、今回Ｔｏ−Ｔ２＞０となった場合は、季節が春から夏に移行したと判断され、今までＴｏ−Ｔ２＞０であったのが、今回Ｔｏ−Ｔ３＜０で且つＴｏ−Ｔ４＞０となった場合は、季節が夏から秋に移行したと判断され、今まではＴｏ−Ｔ３＜０、且つＴｏ−Ｔ４＞０であったのが、Ｔｏ−Ｔ４＜０となった場合は、季節が秋から冬に移行した判断され、夫々の判断に対応した季節指令Ｔｓが空調機器制御装置９ｃに与えられる。
【００３６】
又、空調機器制御装置９ｃでは、季節指令Ｔｓに対応して空調機器１０の室内設定温度指令が求められ、指令信号Ｖｔとして空調機器１０に与えられ、空調機器１０では指令信号Ｖｔに対応して、ダクトや温風或は冷風の吹出し口に設けてあるダンパの開度が調整される。
【００３７】
スケジュール制御装置１１では、２０日移動平均温度演算装置１１ａにおいて外気温度信号Ｔを基として２０日移動平均温度Ｔｏが、２０日移動平均温度演算装置７ａ，９ａにおいて求められたと同様にして求められ、求められた２０日移動平均温度Ｔｏは季節判断装置１１ｂに与えられる。
【００３８】
季節判断装置１１ｂには、暖房から冷房・暖房停止へ切替える際の外気温度Ｔ１、冷房・暖房停止から冷房へ切替える際の外気温度Ｔ２、冷房から冷房・暖房停止に切替える際の外気温度Ｔ３、冷房・暖房停止から暖房へ切替える際の外気温度Ｔ４が設定されている。而して、外気温度Ｔ１，Ｔ２，Ｔ３，Ｔ４は毎正時ごとに与えられる２０日移動平均温度Ｔｏと比較し得るようになっている。
【００３９】
而して、季節判断装置１１ｂでは、毎正時の演算結果が今まではＴｏ−Ｔ１＜０であったのが、今回Ｔｏ−Ｔ１＞０で且つＴｏ−Ｔ２＜０となった場合は、季節が冬から春に移行したと判断され、今まではＴｏ−Ｔ１＞０で且つＴｏ−Ｔ２＜０であったのが今回Ｔｏ−Ｔ２＞０となった場合は、季節が春から夏に移行したと判断され、今まではＴｏ−Ｔ２＞０であったのが、今回Ｔｏ−Ｔ３＜０で且つＴｏ−Ｔ４＞０となった場合は、季節が夏から秋に移行したと判断され、今まではＴｏ−Ｔ３＜０で且つＴｏ−Ｔ４＞０であったのが、今回Ｔｏ−Ｔ４＜０となった場合は、季節が秋から冬に移行した判断され、夫々の判断に対応した季節指令Ｔｓがスケジュール制御装置１１ｃに与えられる。
【００４０】
スケジュール制御装置１１ｃでは、季節指令Ｔｓに基いて、各室内が所定の温度に保持されるためのヒータ、エアコン等の運転時間指令が求められ、指令信号Ｖｍとして機器１２に与えられ、室内が所定の温度に保持されるようヒータ、エアコン等の運転時間が調整される。
【００４１】
上記図示例によれば、２０日移動平均温度Ｔｏを基に、外気温度Ｔ１，Ｔ２，Ｔ３，Ｔ４を基準として冷暖房の切替えを自動的に行うことができるため、切替え後に再度切替え前の季節の状態が生ずる頻度は極く少なく、例え、切替え後に季節が２０日移動平均温度Ｔｏ上、切替え前の季節に戻った場合にも、自動的に切替え前の季節の状態に対応させて冷暖房の切替えを行うことが可能となる。
【００４２】
その結果、運転員が切替え操作を行わなくても自動的に基準の外気温度Ｔ１，Ｔ２，Ｔ３，Ｔ４に対応して冷暖房の切替えを行うことができ、建物の使用者に体調不良や不快な思いをさせることがない。
【００４３】
なお、本発明の図示例では、冷暖房の切替えに２０日移動平均温度を用いる場合について説明したが、５日移動平均温度、１０日移動平均温度、１５日移動平均温度等、所定期間の移動平均温度を用いることが可能なこと、外気温度は冬から春への移行時、春から夏への移行時、夏から秋への移行時、秋から冬への移行時で夫々異なる温度を基準とする場合について説明したが、冬から春への移行時及び秋から冬への移行時で同一の温度を基準とし、春から夏への移行時及び夏から秋への移行時で同一の温度を基準とすることもできること、その他、本発明の要旨を逸脱しない範囲内において種々変更を加え得ることは勿論である。
【００４４】
【発明の効果】
以上、説明したように本発明の請求項１〜３に記載の空調設備によれば、下記のごとき種々の優れた効果を奏し得る。
Ｉ）所定期間の移動平均温度を基に、外気温度を基準として冷暖房の切替えを自動的に行うことができるため、切替え後に再度切替え前の季節の状態が生ずる頻度は極く少なく、例え、切替え後に季節が移動平均温度上、切替え前の季節に戻った場合にも、自動的に切替え前の季節の状態に対応させて冷暖房の切替えを行うことが可能となる。
ＩＩ）その結果、運転員が切替え操作を行わなくても自動的に基準の外気温度に対応して冷暖房の切替えを行うことができ、建物の使用者に体調不良や不快な思いをさせることがない。
【図面の簡単な説明】
【図１】本発明の空調設備の実施の形態の一例の全体ブロック図である。
【図２】図１に示す熱源制御装置及び空調制御装置並びにスケジュール制御装置の詳細ブロック図である。
【図３】２０日移動平均温度の温度曲線を１年間に亘り示すグラフである。
【図４】従来の空調設備の一例を示す全体ブロック図である。
【図５】毎正時の温度の１日の平均を１年間に亘り示すグラフである。
【符号の説明】
７　　熱源制御装置（制御装置）
７ａ　　　　２０日移動平均温度演算装置（移動平均温度演算装置）
７ｂ　　　　　　　　季節判断装置
７ｃ　　　　　　　　熱源機器制御装置（指令制御装置）
８　　熱源機器（機器）
９　　空調制御装置（制御装置）
９ａ　　　　　　　　２０日移動平均温度演算装置（移動平均温度演算装置）
９ｂ　　　　　　　　季節判断装置
９ｃ　　　　　　　　空調機器制御装置（指令制御装置）
１０　　空調機器（機器）
１１　　スケジュール制御装置（制御装置）
１１ａ　　　　２０日移動平均温度演算装置（移動平均温度演算装置）
１１ｂ　　　　　　　　季節判断装置
１１ｃ　　　　　　　　スケジュール制御装置（指令制御装置）
１２　　機器
１３　　外気温度センサ
Ｔ　　外気温度信号（外気温度）
Ｔ１　　　　外気温度
Ｔ２　　　　　　外気温度
Ｔ３　　　　外気温度
Ｔ４　　　　外気温度
Ｔｏ　　　　　　２０日移動平均温度
Ｔｓ　　　　　　季節指令
Ｖｈ　　　　　　指令信号
Ｖｍ　　　　　　指令信号
Ｖｔ　　　　　　指令信号
【図１】
2004028440.tif 000003
【図２】
2004028440.tif 000004
【図３】
2004028440.tif 000005
【図４】
2004028440.tif 000006
【図５】
2004028440.tif 000007